(57)【特許請求の範囲】
【請求項１】
スプロケットから脱落したチェーンを装着する脱落チェーン保持具であって、チェーンの長手方向と直行する方向に、チェーンを包み込むように保持するチェーン保持部と、前記チェーン保持部に連結され、前記スプロケットの両面から前記スプロケットに設けられた孔に係止する対向部とを有し、前記対向部が前記孔に係止された状態で、前記チェーン保持部に保持されたチェーンが前記スプロケットと噛み合うように形成されたことを特徴とする脱落チェーン装着具。
【請求項２】
スプロケットから脱落したチェーンを装着する脱落チェーン保持具であって、一方で前記スプロケットの側面に設けられた孔を通り、他方で前記チェーンをチェーンの長手方向と直行する方向に包み込むように保持する長尺体と、前記長尺体の両端に設けられ、互いが着脱する着脱部を有し、前記長尺体が前記孔を通り、前記着脱部が接続された状態で、前記長尺体に保持されたチェーンと、前記スプロケットとが噛み合うように形成されたことを特徴とする脱落チェーン装着具。
【請求項３】
スプロケットから脱落したチェーンを装着する脱落チェーン装着具であって、スプロケット側面に設けられた孔に係止する係止部と、チェーンの長手方向と直交する方向にチェーンを包み込むように保持するチェーン保持部と、一端が前記係止部と連結され、他端が前記チェーン保持部と連結された結合部とを有し、前記結合部は、前記係止部が前記孔に係止された状態で、前記チェーン保持部に保持されたチェーンが前記スプロケットと噛み合うように形成され、前記チェーン保持部の前記チェーンを保持する部分から前記係止部の前記孔に係止する部分までの長さをかえられることを特徴とする脱落チェーン装着具。
【請求項４】
長尺体と対向部とチェーン保持部のうちすくなくともどれかひとつが弾性体からなる事を特徴とする請求項1〜３のうち、いずれか1項に記載の脱落チェーン装着具。
【請求項５】
長尺体と対向部とのうち、すくなくともどちらかが伸縮する事を特徴とする請求項1〜３のうち、いずれか1項に記載の脱落チェーン装着具。
【発明の詳細な説明】
【技術分野】
【０００１】
本発明は自転車およびスプロケットに関する。
【背景技術】
【０００２】
自転車のスプロケットから脱落したチェーンを前記スプロケットに装着するものはすでにあるが、あらかじめ自転車に取り付けておく必要があり、スプロケットに着脱可能で、前記スプロケットから外れたチェーンを前記スプロットに装着する道具はまだ無い。
このため一般的には、スプロケットから外れているチェーンを前記スプロケットに装着するのは、手作業で行われる場合が圧倒的に多い。
例えば自転車のフロントスプロケットから外れているチェーンを、前記スプロケットに装着する場合、一般的には前記チェーンの一部を前記スプロケット歯に噛み合わせ、前記スプロケットを回転させることで、あとに続くチェーンの部分が順に、前記スプロケットの歯に噛み合っていき、前記チェーンを前記スプロケットに装着させるという方法がとられている。
【特許文献１】特開２００２−３０８１７７号公報
【発明の開示】
【発明が解決しようとする課題】
【０００３】
しかし、スプロケットから外れているチェーンを前記スプロケットに装着する作業は多くの人にとっては、やりにくい作業である。
例えば、自転車のフロントスプロケットから外れているチェーンを前記チェーンに装着する場合、順回転で前記チェーンを装着するには、まず前記スプロケットの上部に前記チェーンの一部をかみ合わるのだが、前記チェーンはたいてい前記スプロケットを軸支している車軸付近まで落ち込んでいるため、前記チェーンを前記スプロケットの歯のあるスプロケットの外周部まで引き上げながら、前記スプロケットの歯に噛み合わせる作業をやらなければならず、前記チェーンを前記スプロケットの歯にかみ合わせ損なうと、前記チェーンはまた、前記車軸付近にまで落ち込んでしまい、同じ作業をやり直すことになり、不便である。
また、逆回転でフロントスプロケットにチェーンを装着する作業もやりにくい場合が多い、前記スプロケットの下部に前記チェーンをかみ合わせて、前記スプロケットを逆回転させても前記チェーンは、重力等によって外れて落ちてしまうので、前記チェーンを外れないように支えながら、前記スプロケットを逆回転させる必要があるが、前記チェーンがはずれないように直に手で支えると、チェーンに触れる時間が多くなり、手がよごれやすいし、やりにくく不便である。
とくにチェーンケースなどでスプロケットが覆われている場合はスプロケットに触れる事ができないので、チェーンが外れないようにてで支える事もできない。
【０００４】
前記課題を解決するため、スプロケットから外れているチェーンの一部を前記スプロケットの歯に噛み合わせた際、前記スプロケットに取り付けられた本発明の脱落チェーン装着具が、前記スプロケットと前記チェーンの一部をかみ合った状態で保持し、その後、前記スプロケットを回転させることによって、前記スプロケットの回転と共に、あとに続く部分も順に、前記スプロケットの歯に噛み合っていき、前記スプロケットから外れているチェーンを前記スプロケットに完全に装着できるようにする。
【０００５】
以下、具体的に本発明の脱落チェーン装着具の特徴を述べる。
請求項１の発明は、スプロケットから脱落したチェーンを装着する脱落チェーン装着具であって、チェーンの長手方向と直行する方向に、チェーンを包み込むように保持するチェーン保持部と、前記チェーン保持部に連結され、前記スプロケットの両面から前記スプロケットに設けられた孔に係止する対向部とを有し、前記対向部が前記孔に係止された状態で、前記チェーン保持部に保持されたチェーンが前記スプロケットと噛み合うように形成されたことを特徴とする脱落チェーン装着具である。
【０００６】
前記対向部がスプロケットの両面から前記孔に係止すると同時に、前記チェーン保持部が、前記スプロケットから脱落したチェーンの一部を、前記スプロケットの歯と噛み合わせた状態で保持する。
この為、チェーンがスプロケットと噛み合ったまま保持され、その後、前記スプロケットを所定の方向に回転させる事で前記スプロケットの回転と共に、前記チェーンの他の部分も順に前記スプロケットに噛み合っていき、前記チェーンを前記スプロケットに完全に装着することができる。
【０００７】
次に、請求項2の発明は、スプロケットから脱落したチェーンを装着する脱落チェーン装着具であって、一方で前記スプロケットの側面に設けられた孔を通り、他方で前記チェーンをチェーンの長手方向と直行する方向に包み込むように保持する長尺体と、前記長尺体の両端に設けられ、互いが着脱する着脱部を有し、前記長尺体が前記孔を通り、前記着脱部が接続された状態で、前記長尺体に保持されたチェーンと、前記スプロケットとが噛み合うように形成されたことを特徴とする脱落チェーン装着具である。
【０００８】
前記長尺体を前記孔に通した後、両端の着脱部同士が接続されることで  前記長尺体がスプロケットに係止されると同時に、チェーンの一部を、前記スプロケットの歯と噛み合わせた状態でつつみこみように保持する。
その後、前記スプロケットを所定の方向に回転させる事により、前記スプロケットの回転と共に、前記チェーンの他の部分も順に前記スプロケットに噛み合っていき、前記チェーンを前記スプロケットに完全に装着する事が可能となる。
【０００９】
つぎに請求項3の発明は、スプロケットから脱落したチェーンを装着する脱落チェーン装着具であって、スプロケット側面に設けられた孔に係止する係止部と、チェーンの長手方向と直交する方向にチェーンを包み込むように保持するチェーン保持部と、一端が前記係止部と連結され、他端が前記チェーン保持部と連結された結合部とを有し、前記結合部は、前記係止部が前記孔に係止された状態で、前記チェーン保持部に保持されたチェーンが前記スプロケットと噛み合うように形成され、前記チェーン保持部の前記チェーンを保持する部分から前記係止部の前記孔に係止する部分までの長さをかえられることを特徴とする脱落チェーン装着具である。
【００１０】
この脱落チェーン装着具は、前記係止部が前記孔に係止されると同時に、前記チェーン保持部が、前記スプロケットから脱落したチェーンの一部を、前記スプロケットの歯と噛み合わせた状態で保持することができる。
これにより、前記チェーンが前記スプロケットと噛み合った状態で保持され、その後、前記スプロケットを所定の方向に回転させる事で前記スプロケットの回転と共に、前記チェーンの他の部分も順に前記スプロケットに噛み合っていき、前記チェーンを前記スプロケットに完全に装着する作業が可能となる。
【発明の効果】
【００１１】
前述のように、本発明の脱落チェーン装着具は、スプロケットから脱落したチェーンを前記スプロケットと噛み合った状態で保持し、その後、前記スプロケットを回転させることによって、前記スプロケットの回転と共に、あとに続く部分も順に、前記スプロケットの歯に噛み合っていき、前記スプロケットから外れているチェーンを前記スプロケットに完全に装着することができる。
このため、前記チェーンを前記スプロケットに装着する作業を、簡単にする事ができる。
また、本発明の一形態においては、チェーンに直に触れることなく、前記チェーンを前記スプロケットに装着する事ができる。
【発明を実施するための最良の形態】
【００１２】
以下、脱落チェーン装着具の実施例を、図面を参照して説明する。
また、これから述べる脱落チェーン装着具は、自転車のフロントスプロケットで外れているチェーンに適用した例として説明する。
なお、自転車の進行方向を前方、その反対を後方とし、自転車から見て地面のある方向を下、その反対を上とする。
そして、自転車の前方を向いた時の右側を自転車右側、その反対側を自転車左側とする。
まず、図１には、自転車の概略が示されている。同図においては、チェーン２はフロントスプロケット１に装着された状態になっている。また自転車には周知のようにペダル１０が設けられている。ペダル１０が回転するとスプロケット１が回転する。
【００１３】
まずはじめに説明するのは、スプロケットから脱落したチェーンを装着する脱落チェーン装着具であって、チェーンの長手方向と直行する方向に、チェーンを包み込むように保持するチェーン保持部と、前記チェーン保持部に連結され、前記スプロケットの両面から前記スプロケットに設けられた孔に係止する対向部とを有し、前記対向部が前記孔に係止された状態で、前記チェーン保持部に保持されたチェーンが前記スプロケットと噛み合うように形成されたことを特徴とする脱落チェーン装着具についてである。
【００１４】
この脱落チェーン装着具の一例として図２には、脱落チェーン装着具の立体図が示されている。同図に示すように、この脱落チェーン装着具３は、チェーンの長手方向と直行する方向に、チェーンを包み込むように保持するチェーン保持部3eと、前記スプロケットの両面から前記スプロケットに設けられた孔に係止する対向部3bとを有する。そして、対向部には面ファスナー３ｂ１を有する。
【００１５】
また、図２の脱落チェーン装着具が変形し、対向する両側の対向部３ｂがくっついた状態を図7に示す。
対向部３ｂ同士が面ファスナー３ｂ１により接した状態を保っている。
【００１６】
次に、この脱落チェーン装着具が前記フロントスプロケットに取り付けられた状態を示す為、図３に、フロントスプロケット１付近を自転車左側から見た拡大図を示す。チェーン２は、前記スプロケット１から外れ、垂れ下がっている。自転車のチェーンは、周知のようにコマが連結され、輪になっており、上側にあるチェーンのコマ部２ａから順にコマ部２ｋまで連結され、さらに自転車後方へとコマが連結されている。そして、前記スプロケットに取り付けられた脱落チェーン装着具３が、前記チェーン２のコマ部２ｊと、フロントスプロケット１の歯とを噛み合わせた状態で、保持している。
さらに図３の、脱落チェーン装着具３が前記スプロケット１に取り付けられた部分を分かりやすくするため、拡大した図を図４に示した。
【００１７】
次に、図３または図４の切断線Ａ−Ａ'を矢印Ｓ及びＳ'方向から見た断面図を図５に示す。対向部３ｂが前記スプロケットに設けられた孔Hに両面から係止され、チェーン保持部３ｅがチェーンのコマ部２ｊを包み込むように保持し、前記コマ部２ｊと前記スプロケット１が外れないように、両者が噛み合った状態で保っている。なお、図に示したチェーンとスプロケットは少しあそびをもって噛み合っている。
ちなみに、この状態から前記スプロケットを回転させれば前記チェーンが前記スプロケットに装着できるが、詳しくは後述する。
【００１８】
さらに本実施例の脱落チェーン装着具についてくわしい特徴を以下に挙げる。
まず、この脱落チェーン装着具は、図７に示すようにチェーン保持部3eが断面コの字形状をしており、外力Ｆにより内側に変形するよう形成された弾性体からなる。
このため、図６に示すように前記コの字形状をしたチェーン保持部３ｅの内部にチェーン2jが位置した際、コの字形状のうち対向する両側の部分を外側から指で持ち、力を加えて内側に変形させれば、前記チェーン保持部3e越しに前記チェーンを手ではさみもつ事ができる。
スプロケットから外れているチェーンを前記スプロケットに噛み合わせる際、前記チェーンを直に手でつかむと手が汚れてしまうが、前記チェーン保持部越しに前記チェーンをつかめば、手を汚す事無く前記チェーンを前記スプロケットに噛み合わせる作業が出来、便利である。
【００１９】
また、図７に示すように、対向部３ｂと、チェーン保持部3eは横幅（矢印Ｗ1）が2センチ程度の帯状体からなる。
対向部またはチェーン保持部ごしにチェーンをつかむ際、使用者の指の幅よりも対向部またはチェーン保持部の幅が狭いと指がはみ出てチェーンに触れ、汚れてしまう可能性がたかい。
そこで対向部とチェーン保持部を使用者の手の親指の直径より幅の広い帯状体を使用するのが望ましいので2センチ程度の幅があればよい。
【００２０】
次に、対向部３bは、図５、に示すように前記孔Hをはさんで両側で対向し、しなるように変形して対向部同士が接するように形成されている。
【００２１】
対向部3bはやわらかく自由に変形してもよいが、対向部をスプロケットの側面に設けられた孔に係止させる際、対向部の形状が重力等で勝手に変形し、不安定だと前記孔に係止させる作業がやりにくく不便である。対向部が弾性体からなり、手動で変形させる事ができるよう形成されると、対向部は外力が加わるまでその形状を一定に保つので、対向部をスプロケットの側面に設けられた孔に係止する作業がやりやすく便利である。
【００２２】
望ましくは、対抗する両側の対向部は、本実施例のように、外側から力がくわわるまで変形することなく開いた状態を保ち、外側から外力がくわわると内側に変形して前記対向する両側がとじるのがよい。これにより、対向部の内側にスプロケットの孔が位置した際、外側から力を加えるだけで対向部同士が閉じ、接着するので、スプロケットの側面に設けられた孔に対向部をはさみこむように両面から係止させる作業がやりやすく便利である。
また、対向部は外力により、外側にもしなるように変形するように形成すると、係止させた対向部をスプロケットから取り外すときに、対向部を変形させ手動で大きく開けて外すことができ、便利である。
【００２３】
次に、この実施例の脱落チェーン装着具は、図２に示すように対向する対向部の内側に、面ファスナー3ｂ1が設けられており、対向部同士が接するとくっつき、接した状態を保つ事ができる。
これにより対向部3ｂは両側が接した状態をたもち、前記孔Hに両側から係止することができる。
このため、前記チェーン保持部で保持されたチェーンのコマ部を前記スプロケットの歯に噛み合わせたあと、前記対向部を前記孔に両面から係止させると、この脱落チェーン装着具は、前記スプロケットから重力によって落ちる事が無く、スプロケットとチェーンを噛み合ったまま保持することが可能となる。
【００２４】
本来、自転車のスプロケットの下部に外れたチェーンの一部を噛み合わせて前記スプロケットを逆回転させても、重力によって前記チェーンは前記スプロケットから外れ、落ちてしまう為、回転中に外れないように手で支えるなどする必要があるが、図３及び図４で示めすように脱落チェーン装着具が前記スプロケットの孔に取り付けられている場合、前記スプロケットの回転中も、前記チェーンと前記スプロケットとを噛み合わせたまま保つ事が出来るため、あとは前記スプロケットを逆回転させるだけで前記チェーンを前記スプロケットに装着できる。
【００２５】
つぎに、本実施例の使用法をせつめいする。
【００２６】
すでに述べたように、スプロケットから外れているチェーンを前記スプロケットに完全に装着するには、前記チェーンの一部を前記スプロケットの歯と噛み合わせ、その噛み合った部分が外れないように保持したまま、前記スプロケットを回転させればよい。
そこで、前記スプロケットに着脱可能な道具を用い、前記チェーンのコマ部の少なくとも１つと、前記スプロケットの歯の少なくともひとつとを噛み合わせた状態で保持すれば、その後、前記スプロケットを回転させることにより、前記スプロケットの回転と共に、前記チェーンの他のコマ部が順に前記スプロケットの歯に噛み合っていき、前記チェーンを前記スプロケットに装着することが可能になる。
【００２７】
以下、前記スプロケットの左側にしゃがんで脱落したチェーンの装着作業を行う場合の手順を説明する。
【００２８】
まずはじめに、前記スプロケットから外れ、前記スプロケット後方の下部近傍にあるチェーンのコマ部をチェーン保持部で保持し、動かして前記スプロケットの下部後方にある歯に噛み合わせる。
このとき、図６に示したように前記チェーンのコマ部２ｊを、前記コの字形状をしたチェーン保持部３ｅの内側に収容し、チェーンをチェーン保持部で挟み持つ。
前述のように、チェーン保持部は、弾性体からなり、対向する部分が外力によって変形するので、前記チェーンを前記チェーン保持部越しに手で挟み持つことができ、前記チェーンに手で直に触れる事無く脱落しているチェーンを動かし、前記スプロケットに噛み合わせる事ができる。
【００２９】
次に、前記チェーン保持部が保持しているチェーンが前記スプロケットの歯と噛み合った状態を保つべく、前記スプロケットの側面に設けられた孔に前記対向部を両側から係止させ、脱落チェーン装着具を前記スプロケットに取り付ける。
【００３０】
この際、図5にしめすように前記チェーン保持部3eが保持しているチェーンのコマ部2jが前記スプロケット1と噛み合った状態を保ちながら、両側の対向部３ｂの間にスプロケットの孔Hが位置したとき、両側の対向部３ｂを外側から押さえ、対向部３ｂ同士をくっつける。面ファスナー３ｂ１により、対向部３ｂは接するとくっついた状態を保つので、スプロケットの孔Hにぶら下がるように係止され、落下することなく両面から係止される。
これにより、図３または図４に示すように、前記チェーン保持部が保持しているチェーンが前記スプロケットの歯と噛み合ったまま保った状態で脱落チェーン装着具を前記スプロケットに取り付けることができる。
【００３１】
次に、ペダル１０(図１）を回すなどして、前記スプロケットを逆回転させる。
図３の矢印Ｇ方向に回転させる。
前記スプロケットが逆回転すると、回転と共に前記チェーンの他のコマ部も順に前記スプロケットの歯と噛み合っていき、前記チェーンを前記スプロケットに完全に装着することが出来る。
脱落チェーン装着具が取り付けられた部分は、前記スプロケットの回転と共に、円弧を描いて上昇していくが、スプロケットの最上部近傍に位置したら前記脱落チェーン装着具を取り外す。
面ファスナーによってくっついている対向部同士を離し、スプロケットから脱落チェーン装着具を取り外す。
そして、前記脱落チェーン装着具を取り外したあと、さらに逆回転させて、前記チェーンの装着を確実にする。
この作業により、スプロケットから外れたチェーンをスプロケットに装着する事ができる。
【００３２】
つぎに、この実施例のチェーン保持部の別の形態について説明する。
チェーン保持部は外部から視認可能な透明状にしてもよい。チェーンとスプロケットが内側で噛み合っている事が確認でき便利である。
【００３３】
つぎに、この実施例の対向部の別の形態について説明する。
まず対向部が弾性体からなる場合について述べる。
弾性体の対向部は、たとえばゴムのように手で引っ張ると伸び手をはなすと縮んで元に戻ろうとするよう形成する。
スプロケットは種類によってスプロケットの歯部（図５の１ｓ）からスプロケットの側面に設けられた孔（図５のH）までの長さが異なるため、対向部の前記孔に係止する部分から、チェーン保持部のチェーンを保持する部分までの長さが変えられないと、前記孔から前記歯部までの長さの異なるスプロケットに対応できないが、対向部を伸縮可能にする事により、スプロケットの歯からスプロケットの側面に設けられた孔までの長さの異なるスプロケットにも同じ脱落チェーン装着具で対応でき、便利である。
【００３４】
次に別の実施例の脱落チェーン装着具について述べる
次にあげるのは、スプロケットから脱落したチェーンを装着する脱落チェーン装着具であって、一方で前記スプロケットの側面に設けられた孔を通り、他方で前記チェーンをチェーンの長手方向と直行する方向に包み込むように保持する長尺体と、前記長尺体の両端に設けられ、互いが着脱する着脱部を有し、前記長尺体が前記孔を通り、前記着脱部が接続された状態で、前記長尺体に保持されたチェーンと、前記スプロケットとが噛み合うように形成されたことを特徴とする脱落チェーン装着具である。
【００３５】
この脱落チェーン装着具は前記長尺体を前記孔に通した後、両端の着脱部同士が接続されることで  本発明がスプロケットに係止されると同時に、前記長尺体が、チェーンの一部を、前記スプロケットの歯と噛み合わせた状態で保持する為、その後、前記スプロケットを所定の方向に回転させる事で前記スプロケットの回転と共に、前記チェーンの他の部分も順に前記スプロケットに噛み合っていき、前記チェーンを前記スプロケットに完全に装着する事ができる。
【００３６】
以下、この脱落チェーン装着具の一例を図に示す。
図8にはこの脱落チェーン装着具の一例として、立体図が示されている。
次に図8の脱落チェーン装着具がスプロケットに取り付けられ、スプロケットと噛み合ったチェーンを保持している状態を示すため、スプロケットを図５と同じ方向からみた状態を図9に示す。
図５は対向部を有する脱落チェーン装着具をスプロケットに取り付けた状態をしめす図だったが、図9は、その対向部を有する脱落チェーン装着具にかえて図8の脱落チェーン装着具をスプロケットに取り付けた状態を示したものである。
【００３７】
図8と図9に示すようにこの脱落チェーン装着具は、長尺体３ｃと、互いが着脱可能な着脱部３ｆからなり、両端の着脱部同士が接着する事によって輪のような形状を保つよう形成されている。
また、長尺体３ｃは、一方で前記スプロケット1の側面に設けられた孔Hを通り前記孔にひっかかる（係止する）と同時に、他方で前記チェーン２のコマ部２ｊをチェーンの長手方向と直行する方向から包み込むように保持し、長尺体の内側がチェーンに接することで、前記コマ部２ｊと,前記スプロケットとを噛み合ったまま保っている。
【００３８】
なお、本実施例のように長尺体は帯状体が望ましい。
自転車のチェーンには油が塗られており、じかに手で触ると手が汚れて不便である。そこでチェーンをスプロケットにかみ合わせる際、長尺体ごしにチェーンをつかめば手が汚れず便利である。そこで、長尺体のうち、すくなくともチェーンを長尺体ごしにつかむ部分は帯状体にするのがチェーンをつつみこむように保持するのに適していてのぞましい。また、本実施例のように長尺体全体を帯状体にしてもよい。
【００３９】
さらにのぞましくは、帯状体に形成するときの長尺体の横幅は図８の矢印W２に示すように2センチ程度がのぞましい。長尺体ごしにチェーンをつかむ際、使用者の指の幅よりも長尺体の幅が狭いと指がはみ出てチェーンに触れ、汚れてしまう可能性がたかい。
そこで本発明の長尺体は使用者の手の親指の直径より横幅の広い帯状体を使用するのが望ましいので2センチ程度の幅があればよいと思われる。
【００４０】
さらに本実施例の脱落チェーン装着具についてくわしい特徴を、以下に挙げる。引き続き図8と図9を参照されたい。
まず、本実施例の長尺体３ｃは長尺体の一部３ｃ１近傍が、チェーンをチェーンの長手方向と直行する方向から包み込むように保持するのに適する略U字形状をしており、外力が加わると内がわに変形し、外力がなくなると元に戻るように形成される弾性体からなる。
【００４１】
前記長尺体の一部を、外力が加わると内側に変形し、外力がなくなると復元するように形成する場合、チェーンが前記長尺体の部分の内側に位置したときに力を加え、前記部分越しにチェーンをつかむことができる。
そして、前記部分ごしにつかんでいるチェーンを離したいときには力を加えるのをやめるだけで長尺体ごしにつかんでいるチェーンを離す事ができるので、チェーンをつかみたいときにだけ長尺体越しにチェーンをつかめむことができ、非常に便利である。
【００４２】
また、長尺体のチェーンを保持する部分は、本実施例とは別に、外力が加わると変形しその状態を保つように形成してもよい。
この場合でも、チェーンが前記長尺体の部分の内側に位置したときに力を加え、前記部分越しにチェーンをつかむことができるので、外側から力を加えるだけでチェーンを長尺体越しにつかむことができ、便利である。
【００４３】
また、長尺体は、スプロケットと噛み合ったチェーンを保持できればよいので、望ましくはないが、やわらかく自由に変形する素材でもよい。
【００４４】
また、本実施例の長尺体は、チェーンを包み込むように保持する部分（図８の３ｃ１近傍）が外力が加わると変形し、外力がなくなると元に戻るように形成される弾性体からなるが、それ以外の部分が別の弾性体からなる。
この、チェーンを保持する部分以外の部分は外力が加わると変形し、その形状のまま保とうとするように形成される弾性体からなる。
これにより、長尺体をスプロケットの孔に係止させるのが簡単になる。
【００４５】
長尺体をスプロケット側面に設けられた孔に係止させる際、長尺体がやわらかく自由に変形し、その形状が固定しないと、重力で下方にたれさっがったりして、前記孔に係止させる作業がやりにくく不便である。
長尺体が弾性体からなり、外力がくわわると変形し、その形状を保つように形成される場合、使用者が任意に変形させた形をたもつ事ができる。
これにより、たとえば使用者が長尺体を手動でフック状に曲げれば、長尺体をスプロケットの側面に設けられた孔に通してひっかける作業が非常にやりやすくなり便利である。
【００４６】
また、本実施例とは別に脱落チェーン装着具は、長尺体が、ゴムのように伸縮し、手で引っ張ると伸び手をはなすと縮んで元に戻ろうとする弾性体を有していてもよい。
このように長尺体を形成する事で、異なる種類のスプロケットに対応することができる。
図9を参照されたい。
【００４７】
スプロケットは種類によってスプロケットの歯部１ｓからスプロケットの側面に設けられた孔Hまでの長さが異なるため、長尺体の長さが変えられないと前記歯部から前記孔までの長さの異なるスプロケットに使用できない場合が多いが、前記長尺体が長手方向に伸縮する事により、スプロケットの歯部からスプロケットの側面に設けられた孔までの長さの異なるスプロケットにも、長尺体が長手方向に伸縮して対応するので便利である。
【００４８】
また、長尺体を有する脱落チェーン装着具は、これまで述べてきた弾性体のうち少なくともひとつを長尺体に有するよう形成してもよい。
これまで述べてきた弾性体とは、手で引っ張ると伸び手をはなすと縮んで元に戻ろうとする弾性体と、外力が加わると変形しその形状をたもとうとする弾性体と、外力が加わると変形し外力がなくなるともとの形に復元する弾性体である。
すでに述べたように、長尺体を、外力が加わると変形しその形状をたもとうとする弾性体で形成する場合、長尺体をスプロケットの側面に設けられた孔に通してひっかける作業をやりやすくすることができる。
また、長尺体のチェーンを保持する部分を、外力が加わると変形し、外力がなくなるともとの形に復元する弾性体にすることで、チェーンを包み込むように保持する部分の内側にチェーンが位置したときに力を加え、前記部分越しにチェーンをつかむことができる。
また、長尺体を、手で引っ張ると伸び手をはなすと縮んで元に戻ろうとする弾性体で形成する場合、スプロケットの歯部からスプロケットの側面に設けられた孔までの長さの異なるスプロケットにも、長尺体が伸縮して対応することができる。
これらの弾性体を適宜組み合わせて長尺体を形成すれば前記のような効果がそれぞれ得られる。
これにより、長尺体をやわらかく自由に変形するよう形成するよりもよりのぞましい形態となる。
【００４９】
次に着脱部について述べる。
まず着脱部は、着脱可能に形成されている。一例として図8に、面ファスナーからなる着脱部３ｆをしめす。
両端に設けられた面ファスナーが互いにくっつくことで長尺体の両端を接続することができる。
長尺体をスプロケットの孔に通した後、着脱部を接続する事により、本発明は輪のようになり、前記孔に係止され、スプロケットから落下しないよう取り付けられる。
なお、着脱部３ｆは面ファスナーにかえて、ボタン、フック、など長尺体の両端の着脱を可能にするものなら何でもよい。だから着脱部は、一方が他方に差し込まれ、差し込まれた状態を保つよう形成してもよい。
次に、この脱落チェーン装着具の使用法を、チェーンが自転車のフロントスプロケットから外れた場合で説明する。
【００５０】
すでに述べたように、スプロケットから外れているチェーンを前記スプロケットに完全に装着するには、前記チェーンの一部を前記スプロケットの歯と噛み合わせ、その噛み合った部分が外れないように保持したまま、前記スプロケットを回転させればよい。
そこで、前記スプロケットにとりつけ可能な道具を用い、前記チェーンのコマ部の少なくとも１つと、前記スプロケットの歯の少なくともひとつとを噛み合わせた状態で保持すれば、前記スプロケットを回転させることにより、前記スプロケットの回転と共に、前記チェーンの他のコマ部も順に前記スプロケットの歯に噛み合っていき、前記チェーンを前記スプロケットに装着することが可能になる。
以下、前記スプロケットの左側にしゃがんで脱落したチェーンの装着作業を行う場合の手順を説明する。  
【００５１】
はじめに、前記スプロケットから外れ、前記スプロケット後方の下部近傍にあるチェーンのコマ部を長尺体越しに挟み持ち、チェーンを前記スプロケットの下部後方にある歯に噛み合わせる。
このとき、前記チェーンのコマ部を、前記U字形状をした長尺体（図８における３ｃ１近傍）の内側に収容し、前記チェーンを前記長尺体越しに挟み持つ。
前述のように、前記長尺体は、弾性体からなり、U字形状の対向する部分が外力によって変形するので、前記チェーンを前記長尺体越しに手で挟み持つことができ、前記チェーンに手で直に触れる事無く脱落しているチェーンを動かし、前記スプロケットに噛み合わせる事ができる。
また、ここまでの作業で、前記チェーンに直に手で触れることはない。  
【００５２】
次に、前記スプロケットの側面に設けられた孔に長尺体を通した後、両端の着脱部をくっつける事で、脱落チェーン装着具を前記スプロケットに係止する。
これにより、図9に示すように、脱落チェーン装着具が長尺体の内側で保持しているチェーンを前記スプロケットの歯と噛み合ったまま保った状態になる。
【００５３】
次に、ペダル１０（図１）を回すなどして、前記スプロケットを逆回転（図３の矢印G方向）させる。
前記スプロケットが逆回転すると、回転と共に前記チェーンの他のコマ部も順に前記スプロケットの歯と噛み合っていき、前記チェーンを前記スプロケットに完全に装着することが出来る。
脱落チェーン装着具が取り付けられた部分は、前記スプロケットの回転と共に、円弧を描いて上昇していくが、脱落チェーン装着具がスプロケットの最上部近傍に位置したら前記脱落チェーン装着具を取り外す。
面ファスナーをはがして着脱部同士を離し、長尺体を前記孔から抜き、チェーンを保持している長尺体を前記チェーンから外す。
そのあと、さらに逆回転させて、前記チェーンの装着を確実にする。
これにより、外れたチェーンをスプロケットに装着する事ができる。
【００５４】
さらに別の形態の脱落チェーン装着具について述べる。
次にあげるのはスプロケットから脱落したチェーンを装着する脱落チェーン装着具であって、スプロケット側面に設けられた孔に係止する係止部と、チェーンの長手方向と直交する方向にチェーンを包み込むように保持するチェーン保持部と、一端が前記係止部と連結され、他端が前記チェーン保持部と連結された結合部とを有し、前記結合部は、前記係止部が前記孔に係止された状態で、前記チェーン保持部に保持されたチェーンが前記スプロケットと噛み合うように形成され、前記チェーン保持部の前記チェーンを保持する部分から前記係止部の前記孔に係止する部分までの長さをかえられることを特徴とする脱落チェーン装着具である。
【００５５】
まず、一例として図10の脱落チェーン装着具をあげる。
図10は立体図である。
図10に示すように、本実施例の脱落チェーン装着具は係止部３ａと結合部3ｄとチェーン保持部3eからなる。
そして、結合部は弾性体からなる。
【００５６】
次にこの脱落チェーン装着具がスプロケットに取り付けられた状態を図11に示す。
図11はスプロケットを図５と同じ方向から見た断面図である。
【００５７】
図５は対向部を有する脱落チェーン装着具をスプロケットに取り付けた状態をしめす図だったが、図11は、その対向部を有する脱落チェーン装着具にかえて図1０の脱落チェーン装着具をスプロケットに取り付けた状態を示したものである。
【００５８】
図１０と図11に示すようにこの脱落チェーン装着具は、スプロケット１から脱落したチェーンを装着する脱落チェーン装着具であって、スプロケット側面に設けられた孔Hに係止する係止部３aと、チェーンの長手方向と直行する方向にチェーン２ｊを包み込むように保持するチェーン保持部３eと、一端が前記係止部と連結され、他端が前記チェーン保持部と連結された結合部３dとを有し、前記結合部3dは、前記係止部3aが前記孔Hに係止した状態で、前記チェーン保持部3eに保持されたチェーン2jと前記スプロケット1とを、噛み合わせたまま保持するように形成されたことを特徴とする。
【００５９】
そして結合部3dは、手で引っ張ると伸び、手で引っ張るのをやめると縮んで元に戻る弾性体からなる。
この弾性体からなる結合部3dが引っ張られたあと元にもどろうとする力によって、係止部3dとチェーン保持部3eとを互いに引きつけ、チェーン2jとスプロケット1とをかみ合った状態で保持している。
【００６０】
すでに述べたように、スプロケットは種類によってスプロケット歯部１ｓから孔Hまでの距離が異なるが、結合部が伸縮することにより前記チェーン保持部のチェーンを保持する部分から前記係止部の前記孔に係止する部分までの長さをかえることができ、異なる種類のスプロケットに対応してとりつけることができる。
【００６１】
また、チェーン保持部は断面コの字形状をしており、対抗する両側の部分に外力が加わると内側に変形するよう形成されている。
以上のような特徴によりこの実施例の脱落チェーン装着具は図１１、図１２にしめしたようにスプロケットに取り付けられるとチェーンとスプロケットをかみ合ったまま保持することができる。
【００６２】
つぎに使用法について述べる
すでに述べたように、スプロケットから外れているチェーンを前記スプロケットに完全に装着するには、前記チェーンの一部を前記スプロケットの歯と噛み合わせ、その噛み合った部分が外れないように保持したまま、前記スプロケットを回転させればよい。
【００６３】
そこでまず、前記スプロケットから外れ、前記スプロケット後方の下部近傍にあるチェーンのコマ部をチェーン保持部越しに挟み持ち、動かすことで前記スプロケットの下部後方にある歯に噛み合わせる。
このとき、前記チェーンのコマ部を、断面コの字形状をしたチェーン保持部の内側に収容し、前記チェーン保持部で挟み持つ。
チェーン保持部は弾性体からなり、外力がくわわると内側に変形するように形成されているので、チェーン保持部を外側からはさむようにつかむことでチェーンをチェーン保持部越しに手で挟み持つことができ、前記チェーンに手で直に触れる事無く脱落しているチェーンを動かし、前記スプロケットに噛み合わせる事ができる。
【００６４】
次に、スプロケットの孔に係止部を係止させスプロケットに脱落チェーン装着具を取り付ける。
これにより、図11に示すように、前記チェーン保持部が保持しているチェーン２ｊが前記スプロケットの歯１ｓと噛み合ったまま保つことができる。
次に、ペダルを回すなどして、前記スプロケットを逆回転させる。
これにより回転と共に前記チェーンの他のコマ部も順に前記スプロケットの歯と噛み合っていき、前記チェーンを前記スプロケットに完全に装着することが出来る。
【００６５】
脱落チェーン装着具が取り付けられた部分は、前記スプロケットの回転と共に、円弧を描いて上昇していくが、スプロケットの最上部近傍に位置したら前記脱落チェーン装着具を取り外す。前記係止部を前記孔から外し、前記チェーン保持部を前記チェーンから取り外せばよい。
そして、前記脱落チェーン装着具を取り外したあと、さらに逆回転させて、前記チェーンの装着を確実にする。
これにより、スプロケットから外れたチェーンを前記スプロケットに完全に装着することができる。
【００６６】
次に、この実施例とは別の例をあげる。
前記実施例では結合部を弾性体にすることで結合部を伸縮できるようにしたが、次の実施例では結合部は弾性体でなく、チェーン保持部と連結する結合部と、係止部と連結する結合部を別々に設け、その結合部同士が任意の位置で接して固定されることで、チェーン保持部がチェーンを保持している部分から係止部がスプロケットの孔に係止している部分までの長さを変えられるようにする。
【００６７】
まず、別々に設けられた結合部同士が任意の位置でくっつくことにより、チェーン保持部がチェーンを保持している部分から係止部がスプロケットの孔に係止している部分までの長さを変えられるようにする場合について２つの実施例をあげて述べる。
【００６８】
まず、一つ目の実施例をあげる。
図12は面ファスナーを有する脱落チェーン装着具の立体図である。
また図13はその構成をしめす図である。
【００６９】
図１２と図１３に示すように、本実施例の脱落チェーン装着具は係止部3aと、チェーン保持部3eと、係止部と連結する結合部3d1と、チェーン保持部と連結する結合部3d2からなる。
さらに結合部には、互いにくっつくべく面ファスナーが設けられている。
係止部3aと連結したほうの結合部3d1が、面ファスナーｍ１を有し、その面ファスナーに接着するための面ファスナーｍ2をチェーン保持部3eと連結したほうの結合部3d2が有する。
【００７０】
面ファスナーは，結合部同士がつけはずしでき、任意の位置で互いがくっついた状態を保つよう形成されている。
これにより、結合部同士のくっつく位置を変える事で、チェーン保持部がチェーンを保持する部分から係止部がスプロケットの孔に係止する部分までの長さを変えることができる。
【００７１】
さらに別の実施例をあげる
前記実施例では面ファスナーで結合部同士をくっつけたが、次に上げる実施例は面ファスナーにかえ、両方の結合部に穴と突起をそれぞれ設ける事によって結合部同士が任意の位置で接した状態を保つように形成する。
【００７２】
一例としてこの脱落チェーン装着具の実施例を図１4に示す。
図14は結合部に突起と孔を有する脱落チェーン装着具の立体図である。
また、図１４の脱落チェーン装着具の結合部同士がくっついた状態をしめす断面図を図１５に示す。
図15に示すように突起３ｔは孔３ｈに入りくっついた状態を保っている。
【００７３】
図14と図１5に示すように、本実施例の脱落チェーン装着具は係止部3aとチェーン保持部3eと係止部3aと連結する結合部3d1と、チェーン保持部3eと連結する結合部3d2からなる。 
一方の結合部（図においてはチェーン保持部3eと連結したほうの結合部3d２）が、伸縮する方向に一定の間隔で突起(図においては３t)を有し、前記結合部にくっつくため、もう一方の結合部（図においては係止部3aと連結したほうの結合部3d１）が、前記突起(図においては３t）が入るための孔(図においては３h）を前記突起と同じ間隔で有する。
なお、前記突起と前記孔は、係止部からチェーン保持部の方向に設けられる。
そして前記孔３ｈと突起３ｔは、前記孔のうち任意の孔に前記突起が入ることで、前記結合部同士がくっついた位置を保つよう一定の間隔で形成されている。
これにより、前記孔のうち、任意の孔を選択して突起を入れれば結合部同士が接し、結合部同士のくっつく位置を調節できる。
このためチェーン保持部がチェーンを保持している部分から係止部がスプロケットの孔に係止している部分までの長さを変えることができる。
【００７４】
さらに別の実施例をあげる。
前記２つの実施例は別々に設けた結合部同士の接する位置を任意にえらんで結合部の長さを調節したが、次の実施例ではこれとはべつに、結合部を差し込み構造にし、スライド可能にすることで結合部の長さを調節し、その長さのまま固定してチェーン保持部がチェーンを保持している部分から係止部がスプロケットの孔に係止している部分までの長さを変えることができるようにする方法について述べる。
【００７５】
一例としてこの脱落チェーン装着具の実施例を図16に示す。
同図はこの実施例の脱落チェーン装着具の立体図である。
また図17はその構成をしめすべく、それぞれの部品を分解した状態をしめした図である。
【００７６】
図１6と図１7に示すように、本実施例の脱落チェーン装着具は係止部3aとチェーン保持部3eと係止部３aと連結する結合部3d1と、チェーン保持部3eと連結する結合部3d2からなる。 
【００７７】
この脱落チェーン装着具は係止部3aと連結したほうの結合部3d1が、チェーン保持部3eと連結したほうの結合部3d2に差し込まれ、矢印方向にスライドさせることで長さ調節できるように形成し、結合部に設けられたネジ穴３ｒにネジ３ｎを入れる事によってネジ留めし、結合部が任意の位置で固定できるよう形成されている。
この構造によりチェーン保持部がチェーンを保持している部分から係止部がスプロケットの孔に係止している部分までの長さを変えることができる。
【００７８】
これまで述べてきたように、係止部とチェーン保持部と結合部を有する脱落チェーン装着具は、チェーン保持部がチェーンを保持している部分から係止部がスプロケットの孔に係止している部分までの長さを変えることで、スプロケットの歯部から孔までの長さの異なるスプロケットにも対応し、チェーンをスプロケットと噛み合ったまま保持する事ができる。
これにより、その後スプロケットを回転させることで、これまで述べた実施例と同じようにチェーンをスプロケットに完全に装着することができる。
【００７９】
また、これまで示してきた図には、チェーンのコマ部２ｊとスプロケットの歯部１ｓは完全に密着して噛み合っているのではなくある程度のあそびをもって噛み合った状態で描かれているが、本発明である脱落チェーン装着具はチェーンとスプロケットが完全に密着して噛み合った状態で保持するよう形成してもよい。
【００８０】
なお、あそびをもって噛み合った状態で保持する場合のあそびの許容範囲は、前記スプロケットの回転時、前記チェーンのローラー部と前記スプロケットの歯が接し、前記スプロケットから前記チェーンに力を伝達可能な範囲内である。前記スプロケットを回転させた際、前記スプロケットの歯が、前記チェーンのローラー部と接し、前記スプロケットから前記チェーンに力が伝達され、前記スプロケットの回転と共に、前記チェーンを回転させる事が出来れば、前記チェーンのあとに続く部分も順に前記スプロケットの歯に噛み合っていく為、前記チェーンを前記スプロケットに装着することができるからである。
【産業上の利用可能性】
【００８１】
自転車に適用できる。
【図面の簡単な説明】
【００８２】
【図１】自転車の概略図である。
【図２】対向部を有する脱落チェーン装着具の一実施例を示した立体図である。
【図３】自転車のフロントスプロケット付近を自転車の左方向から見た拡大図である。
【図４】スプロケットに図２の脱落チェーン装着具が取り付けられた状態を示す拡大図である。
【図５】スプロケットに図２の脱落チェーン装着具が取り付けられた状態を示す断面図である。
【図６】チェーン保持部が弾性変形によりチェーンをはさむことを示す断面図である。
【図７】図２の脱落チェーン装着具の対向部が変形し、互いに接した状態をしめす立体図である。
【図８】長尺体を有する脱落チェーン装着具の一実施例を示した立体図である。
【図９】スプロケットに図８の脱落チェーン装着具が取り付けられた状態を示す断面図である。
【図１０】結合部に弾性体を有する脱落チェーン装着具の一実施例を示した立体図である。
【図１１】スプロケットに図１０の脱落チェーン装着具が取り付けられた状態を示す断面図である。
【図１２】結合部に面ファスナーを有する脱落チェーン装着具の一実施例を示した立体図である。
【図１３】図１２の脱落チェーン装着具の構成を示す図である。
【図１４】結合部に突起と穴を有する脱落チェーン装着具の一実施例を示した立体図である。
【図１５】図１４の脱落チェーン装着具が互いに接した状態の断面をしめす図である。
【図１６】結合部に差し込み構造を有する脱落チェーン装着具の一実施例を示した立体図である。
【図１７】図１６の脱落チェーン装着具の構成を示す図である。
【符号の説明】
【００８３】
３      脱落チェーン装着具
３ａ    係止部
３ｂ    対向部
３ｂ１  面ファスナー
３ｃ    長尺体
３ｃ１  長尺体のチェーンを保持する部分
３ｄ    結合部
３ｄ１    係止部と連結するほうの結合部
３ｄ２    チェーン保持部と連結するほうの結合部
３ｅ      チェーン保持部
３ｆ      着脱部
３ｈ    結合部に設けられた孔
３ｎ    結合部のネジ
３ｒ    結合部に設けられたネジ穴
３ｔ      結合部に設けられた突起
ｍ１  面ファスナー
ｍ２  面ファスナー
【図１】
0004692778.tif 000002
【図２】
0004692778.tif 000003
【図３】
0004692778.tif 000004
【図４】
0004692778.tif 000005
【図５】
0004692778.tif 000006
【図６】
0004692778.tif 000007
【図７】
0004692778.tif 000008
【図８】
0004692778.tif 000009
【図９】
0004692778.tif 000010
【図１０】
0004692778.tif 000011
【図１１】
0004692778.tif 000012
【図１２】
0004692778.tif 000013
【図１３】
0004692778.tif 000014
【図１４】
0004692778.tif 000015
【図１５】
0004692778.tif 000016
【図１６】
0004692778.tif 000017
【図１７】
0004692778.tif 000018